【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
第１の表面および前記第１の表面の反対にある第２の表面であって、０．１ｍｍ〜２ｍｍの範囲内の厚さ（ｔ）を画定する第１の表面および第２の表面と、
前記厚さ（ｔ）の関数である数式による前記厚さ（ｔ）に沿って延在する応力プロファイルと
を含むガラス系物品において、
約０・ｔ〜最大０．０２０・ｔおよび０．９８・ｔ超の第１の厚さ範囲内の前記応力プロファイルの数式の少なくとも１つの点は、約−２００ＭＰａ／マイクロメートル〜約−２５ＭＰａ／マイクロメートルまたは約２５ＭＰａ／マイクロメートル〜約２００ＭＰａ／マイクロメートルの傾きを有する接線を含み、
約０．０３５・ｔ〜０．９６５・ｔ未満の第２の厚さ範囲内の前記応力プロファイルの数式の全ての点は、約−１５ＭＰａ／マイクロメートル〜約１５ＭＰａ／マイクロメートルの傾きを有する接線を含み、
前記第２の厚さの範囲に沿った前記応力プロファイルの数式は、冪指数を有する冪乗則関数を形成し、前記冪指数は、約１．２〜約３．２であり、
前記応力プロファイルは、約２００ＭＰａ〜約１１００ＭＰａの表面圧縮応力を含み、
前記応力プロファイルは、約０．１・ｔ〜０．２５・ｔの範囲の圧縮深さを含むことを特徴とするガラス系物品。
【請求項２】
８０ＭＰ以下の最大中央張力をさらに有する、請求項１に記載のガラス系物品。
【請求項３】
前記第１の厚さ範囲は、約０．０２・ｔから最大０．０２５・ｔまでかつ０．９７５・ｔ超から０．９８・ｔまで拡大され、および前記拡大された第１の厚さ範囲内の前記応力プロファイルの数式の少なくとも１つの点は、約−２００ＭＰａ／マイクロメートル〜約−２５ＭＰａ／マイクロメートルまたは約２５ＭＰａ／マイクロメートル〜約２００ＭＰａ／マイクロメートルの傾きを有する接線を含むことを特徴とする、請求項２に記載のガラス系物品。
【請求項４】
前記第１の厚さ範囲は、約０．０２５・ｔから最大０．０３５・ｔまでかつ０．９６５・ｔ超から最大約０．９７５・ｔまでさらに拡大され、および前記第１の厚さ範囲の前記さらなる拡大における前記応力プロファイルの数式の少なくとも１つの点は、約−２００ＭＰａ／マイクロメートル〜約−２５ＭＰａ／マイクロメートルまたは約２５ＭＰａ／マイクロメートル〜約２００ＭＰａ／マイクロメートルの傾きを有する接線を含むことを特徴とする、請求項３に記載のガラス系物品。
【請求項５】
０・ｔ〜最大０．３・ｔの厚さにわたり、前記応力プロファイルの数式は、最小の傾きを含む接線および最大の傾きを含む接線をさらに含み、前記最大の傾きと前記最小の傾きとの間の差は、３．５ＭＰａ／マイクロメートル以下であることを特徴とする、請求項１に記載のガラス系物品。
【請求項６】
約０・ｔ〜約０．３・ｔおよび０．７・ｔ超の厚さ間の前記応力プロファイルの数式の全ての点は、約−０．１ＭＰａ／マイクロメートル未満であるかまたは約０．１ＭＰａ／マイクロメートルを超える接線を含むことを特徴とする、請求項２に記載のガラス系物品。
【請求項７】
前記第１の厚さ範囲にわたって延在するカリウムイオン侵入深さをさらに含むことを特徴とする、請求項２に記載のガラス系物品。
【請求項８】
（ｉ）強化ガラス系基材のヌープ引っ掻き側方亀裂閾値は、１０Ｎを超え、かつ１６Ｎ未満であること；
（ｉｉ）前記強化ガラス系基材は、１８０グリット研磨材を用いる表面衝突閾値試験に準拠して４００Ｎ以上の力で前記第１および第２の主面の一方に衝突された場合、４０％〜１００％の残存率を有すること；および
（ｉｉｉ）前記強化ガラス系基材は、３０グリット研磨材を用いる端部衝突閾値試験に準拠して３００Ｎ超〜５００Ｎ未満の端部衝撃または０．６８Ｊ超〜１．５８Ｊ未満の端部衝撃で残存し得ること：
の少なくとも１つを特徴とする、請求項２に記載のガラス系物品。
【請求項９】
前記第１の表面における第１の値から、前記第１の表面と前記第２の表面との間の点における第２の値まで減少し、かつ前記第２の値から前記第２の表面まで増加する金属酸化物の濃度をさらに含むことを特徴とする、請求項２に記載のガラス系物品。
【請求項１０】
消費者用電子製品において、
前面、背面、および側面を有するハウジングと、
前記ハウジング内に少なくとも部分的に設けられた電気部品であって、少なくともコントローラ、メモリおよびディスプレイを含み、前記ディスプレイは、前記ハウジングの前記前面またはその付近に設けられる、電気部品と、
前記ディスプレイの上に配置されるカバー基材と
を含み、
前記ハウジングの一部または前記カバー基材の少なくとも１つは、請求項２に記載のガラス系物品を含むことを特徴とする消費者用電子製品。
【請求項１１】
前記厚さ（ｔ）は１ｍｍ以下であり、前記表面圧縮応力は５００ＭＰａ以上であり、前記圧縮深さは０．１４ｔ以上であることを特徴とする、請求項２のガラス系物品。
【請求項１２】
約２〜約２０モル％のＬｉ２Ｏを含む中心面と、
厚さ（ｔ）の関数である数式による前記厚さ（ｔ）に沿って延在する応力プロファイルと
を含むガラス系物品において、
約０・ｔ〜最大０．０２０・ｔおよび０．９８・ｔ超の第１の厚さ範囲内の前記応力プロファイルの数式の少なくとも１つの点は、約−２００ＭＰａ／マイクロメートル〜約−２５ＭＰａ／マイクロメートルまたは約２５ＭＰａ／マイクロメートル〜約２００ＭＰａ／マイクロメートルの傾きを有する接線を含み、
前記応力プロファイルは、約２００ＭＰａ〜約１１００ＭＰａの表面圧縮応力を含み、
０．０３５・ｔ〜０．９６５・ｔ未満まで延在する第２の厚さの範囲に沿った応力プロファイルの数式は、冪指数を有する冪乗則関数を形成し、前記冪指数は、約１．２〜約３．４であり、
前記応力プロファイルは、約０．０５・ｔ〜０．２５・ｔの範囲の圧縮深さを含むことを特徴とするガラス系物品。
【請求項１３】
８０ＭＰ以下の最大中央張力をさらに有する、請求項１２に記載のガラス系物品。
【請求項１４】
０・ｔ〜最大０．３・ｔの厚さにわたり、前記応力プロファイルの数式は、最小の傾きを含む接線および最大の傾きを含む接線をさらに含み、前記最大の傾きと前記最小の傾きとの間の差は、３．５ＭＰａ／マイクロメートル以下であることを特徴とする、請求項１２に記載のガラス系物品。
【請求項１５】
約０．５モル％〜約１０モル％のＰ２Ｏ５を含む組成を含むことを特徴とする、請求項１３に記載のガラス系物品。
【請求項１６】
前記中心面は、約０．５モル％〜約２０モル％のＮａ２Ｏを含む組成をさらに含むことを特徴とする、請求項１３に記載のガラス系物品。
【請求項１７】
前記中心面は、約２モル％〜約１０モル％のＬｉ２Ｏを含む組成をさらに含むことを特徴とする、請求項１３に記載のガラス系物品。
【請求項１８】
約０・ｔ〜約０．３・ｔおよび０．７・ｔ超の厚さ間の前記応力プロファイルの数式の全ての点は、約−０．１ＭＰａ／マイクロメートル未満であるかまたは約０．１ＭＰａ／マイクロメートルを超える接線を含むことを特徴とする、請求項１３に記載のガラス系物品。
【請求項１９】
前記第１の厚さ範囲にわたって延在するカリウムイオン侵入深さをさらに含むことを特徴とする、請求項１３に記載のガラス系物品。
【請求項２０】
前記表面ＣＳは、約６９０ＭＰａ〜９５０ＭＰａの範囲であることを特徴とする、請求項１３に記載のガラス系物品。
【請求項２１】
第１の表面および前記第１の表面の反対にある第２の表面であって、０．１ｍｍ〜１ｍｍの範囲内の厚さ（ｔ）を画定する第１の表面および第２の表面をさらに含み、前記表面圧縮応力は５００ＭＰａ以上であり、前記圧縮深さは０．１４ｔ以上であることを特徴とする、請求項１３のガラス系物品。